(57)【特許請求の範囲】
【請求項１】
持ち運びボックスと、該ボックスに取り付けたロール状トイレットペーパー保持器と、前記ボックスに着脱自在に配設し、前記ロール状トイレットペーパー保持器から引き出した帯状のトイレットペーパーを略平坦状に巻き取る糞巻取り具とからなり、該糞巻取り具は前記トイレットペーパーを架けわたして複数回巻いておき、当該複数回巻かれたトイレットペーパー上に排出されるペットの糞を巻き取るようにしたことを特徴とするペット用糞拾い器。
【請求項２】
前記ボックスに、ペットの糞を受け取りやすく傾斜可能にした操作桿を配置したことを特徴とする請求項１に記載のペット用糞拾い器。
【発明の詳細な説明】
【０００１】
【産業上の利用分野】
本発明は、主として犬等のペットの散歩に際して、ペットがした糞を処理するためのペット用糞拾い器に関する。
【０００２】
【従来の技術】
ペットを散歩させる目的は、ペットに運動をさせることの他、ペットの糞尿を戸外で排泄させることにあり、ペットはその散歩中に排便を行うのが普通である。犬等のペットの散歩に際して、公園や道端などで犬等がした糞の汚物処理は、散歩した者の責任であるので、飼い主は散歩時に汚物処理用具を携帯している。
【０００３】
最も単純な汚物処理用具は、予めスーパーマーケット等で貰ったビニール製買い物袋等を汚物収納袋として用いたものと、把手部の操作で糞を挟む汚物挟み器とを携帯するものがあり、公園や道端などに排泄された糞を汚物収納袋内に手を入れて糞を掴み、そのままの状態で袋を裏返して袋の口を閉じて処理されたり、汚物挟み器で糞を挟み、それを汚物収納袋の中に入れ袋の口を閉じて処理されている。
【０００４】
【発明が解決しようとする課題】
しかしながら、上記汚物収納袋に手を入れて糞を掴み、袋を裏返して袋の口を閉じて処理するには、袋ごしとはいえ犬の糞を掴み取るのは心地よいものではないという問題があった。また、上記汚物挟み器と上記汚物収納袋とからなる汚物処理用具を用いた犬の糞処理は、公園や道端などの地面に落ちた糞を処理することであったが、砂利や草の上はもちろんのこと、土の上やコンクリートの道路上の糞をきれいに取り去ることは難しいという問題があった。
【０００５】
このように、公園や道端などの地面に落ちた糞を完全に取り去ることができないので、美観を損なうだけでなく、汚臭、悪臭などが周辺に漂うことから、公園や道端などを散歩する人や通行人に不愉快な思いをさせることになり、さらに糞にハエや虫が集まって細菌を拡散させるといった衛生上の問題も生じた。
【０００６】
そこで本発明の目的は、上記不都合や問題点を解決しようとするもので、公園や道端などの地面に落ちた糞を処理するよりも、糞が地面に落ちる前、つまり犬の糞を空中で直接捕らえることにより、上記衛生面の観点や不快感の観点からの問題を解決した、持ち運びに便利な汚物処理用具なるペット用糞拾い器の改良を提案するものである。
【０００７】
【課題を解決するための手段】
本発明は、上記目的に鑑みてなされたものであり、その要旨とするところは、持ち運びボックスと、該ボックスに取り付けたロール状トイレットペーパー保持器と、前記ボックスに着脱自在に配設し、前記ロール状トイレットペーパー保持器から引き出した帯状のトイレットペーパーを略平坦状に巻き取る糞巻き取り具とからなり、該糞巻き取り具は前記トイレットペーパーを架けわたして複数回巻いておき、当該複数回巻かれたトイレットペーパー上に排泄されるペットの糞を巻き取るようにしたことを特徴とするペット用糞拾い器にある。
【０００８】
また、別の本発明では前記ペット用糞拾い器のボックスに、ペットの糞を受け取りやすく傾斜可能にした操作桿を配置したことを特徴とする。
【０００９】
上記持ち運びボックスは、簡易に持ち運び可能な立方体などの大きさで、デザイン的にはハンドバッグを小さくしたようなものであり、構成する材料としては塩化ビニールなどの合成樹脂製のものやステンレス製、アルミニウム製等の鋼製のものやが考えられ、正面と少なくとも左右側面のいずれかに開放部を設ける。また、携帯を便利にするため、持ち運びボックスの上部にある程度の力でしか伸縮できないように数段の直径の異なる桿を密着した操作桿を設け、この桿の最上部に携帯を便利にするために吊り下げ持ち手を設ける。
上記トイレットペーパー保時器は、上方向のみ折り曲がり可能で且つ水平に維持するようバネで付勢された左右のホルダーは、市販のロール状トイレットペーパーを下から押し上げることで該ホルダーを上方に折り曲げ、ついでトイレットペーパーの芯材の中に掛け受けることで元の水平に戻るようになっているか、保持器内の左右に固設されたホルダーにバネで伸縮する芯棒を取り外し可能に設置し、これをトイレットペーパーの芯材に挿入することで保持させる等の従来周知のものを、本発明の糞拾い器本体に取り付けることが考えられる。
上記糞巻き取り具は、コの字形や四角形又は中の字形などの枠に形成されたアルミニウム製やステンレス製等、頑丈なものを使用し、この枠にロール状トイレットペーパーを架け渡して、巻き取るために軸を形成し、該軸を中心に回転させるハンドルを設ける。
【００１０】
【作用】
本発明によれば地面に糞が落下する前にこれを捕らえて処理できるので、地面を汚すことなく衛生面の観点や不快感の問題も解消できる。また、ペット用糞拾い器をコンパクトな携帯用とし、直接糞をトイレットペーパーで受け取り、受け取ったトイレットペーパーを糞ごと巻き取ることで、いやな糞処理を実行でき、不快感もないし、環境上にも優れている。
【００１１】
【実施例】
以下、本発明の実施例を添付図面に基づいて説明するが、本発明はこれに限定されるものではない。
【００１２】
本発明のペット用糞拾い器７０は、持ち運びボックス１０と、これに取付けたトイレットペーパー保持器２０と、トイレットペーパー２１を巻き取る糞巻取り具３０とからなり、さらに糞５１を捕らえやすくするため、持ち運びボックス１０上部に操作桿４０を取り付け、ペット用糞拾い器７０を傾斜可能にする。
【００１３】
持ち運びボックス１０は、正面板１０ａと、右側面板１０ｂと、左側面板１０ｃと、天板１０ｄと、背面板１０ｅと、底板１０ｆと、カバー１２とからなる略立方体のボックスであり、カバー１２は正面板１０ａと天板１０ｄとの間に糞５１を空中で捕らえるスペース１３を形成し、該スペース１３を開閉自在に配置する。ここで、カバー１２はスペース１３を形成する際に切断した部材を使用する。
【００１４】
正面板１０ａの上部にはスペース１３が形成されており、カバー１２でスペース１３を開閉自在にし、正面板１０ａの上端とカバー１２の下端とは合致する。
右側面板１０ｂは、持ち運びボックス１０の右側面の周囲をテーパ状に切断し、該右側面板１０ｂに形成したテーパ１６をテーパ受けフレーム１７に嵌めるように開放部１１に被せ、取り外し自在にする。また、右側面板１０ｂの略中央部に糞巻き取り具３０の軸３３ａを通す軸孔１８ａを貫設する。
左側面板１０ｃにも右側面板１０ｂと同様に略中央部に軸３３ｂを通す軸孔１８ｂを貫設する。また、左側面板１０ｃはスペース１３を形成する際に、正面板１０ａがスペース１３に達する高さで、且つ正面板１０ａの裏面の位置から縦方向に天板１０ｄの裏面の高さまで切断し、さらにその位置からスペース１３が天板１０ｄに達する位置まで切断される。
天板１０ｄの先端（ボックスから見て手前）にはスペース１３が形成されている。また、天板１０ｄには２つのボルト受け部材４２ａ、４２ｂを設け、該ボルト受け部材４２ａ、４２ｂの間で操作桿４０の下端を固定する。ここでボルト受け部材４２ａ、４２ｂはカバー１３を開けたとき、該カバー１３が操作桿４０に寄り掛かるような位置で設置する。
背面板１０ｅにはロール状トイレットペーパー２１の紙を持ち運びボックス１０内に引き出す引き出し口２４を設ける。ここで市販のトイレットペーパーの横幅は約１１ｃｍであることから、引き出し口２４は縦約０．６ｃｍ×横約１２ｃｍの大きさにする。
カバー１２は天板１０ｄのスペース１３側に２箇所の蝶番１４をビスで固設し、カバー１２と天板１０とを繋止させ、蝶番１４によりカバー１２を開閉自在にする。ここで、前述したように右側面板１０ｂはテーパ状に切断したので、カバー１２の右側面側はテーパ受けフレーム１７になっていて、カバー１２の右側面側とテーパ１６とは合致する。また、カバー１２の左側面側と、左側面板１０ｃの切断された部分とは合致する。
【００１５】
トイレットペーパー保持器２０は、図５に示すようにロール状トイレットペーパー２１の芯材２６の穴２７を受ける左右相対抗して配置したバネ（図示せず）により、上方向のみ折り曲がり可能で水平に付勢されたホルダー２５とロール状トイレットペーパー２１を雨や水等から防ぐヒンジ（図示せず）で上方に開放可能に枢着しているふた２３とからなり、トイレットペーパー保持器２０は持ち運びボックス１０の背面板１０ｅに3箇所のビス２２により取り付ける。さらに、背面板１０ｅに設けた引き出し口２４をトイレットペーパー保持器２０にも同じ位置、同じ大きさで設ける。
【００１６】
糞巻き取り具３０は四角形の凧糸を巻く糸巻き器に似た形態の枠３１で、縦（ボックスの前幅に該当する）約１３ｃｍ、横（ボックスの奥行きに該当する）約１０ｃｍに形成されたものを用いる。枠３１の中央前後部（ボックスの正面から見て左右）には軸３３ａ、３３ｂを設け、右側面板１０ｂ、左側面板１０ｃに貫設した軸孔１８ａ，１８ｂに軸３３ａ，３３ｂを通し、軸３３ａの他端にハンドル３２を設ける。また、右側面板１０ｂから糞巻き取り具３０を取り外すため、図７に示すように軸３３ａの他端におネジ３４を、ハンドル３２の持ち手の他端にめネジ３５を設け、軸３３ａとハンドル３２とを着脱自在にする。
【００１７】
操作桿４０は、携帯を便利にするため、最上部にはハンドバッグの持ち手のような吊り下げ持ち手４１が設けられており、中央部には筒状の桿が圧密に伸縮（図面上は４段）可能にしたものを用いる。また、下部にはボルト４３を通す位置にネジ孔（図示せず）を設け、図８に示すようにボルト４３を座金４４ａ→ボルト受け部材４２ａ→操作桿４０→ボルト受け部材４２ｂ→座金４４ｂ→スプリング座金４５の順で貫通させ、最後にナット４６で締結し、持ち運びボックス１０と操作桿４０とを固定する。
【００１８】
図１はペット用糞拾い器７０の携帯状態を示し、持ち運びボックス１０内が見える状態で散歩をしていると体裁が悪いので、カバー１２を被せスペース１３を塞いでおく。なお、糞巻き取り具３０のハンドル３２が軸孔１８ａからとび出ているのが気になる場合はハンドル３２を軸３３ａから取り外しておくこともできる。
【００１９】
図２、図４はペット用糞拾い器７０から右側面板１０ｂと糞巻き取り具３０とを取り外した状態で、主にペット用糞拾い器７０を使用しない時の状態を示す。右側面板１０ｂは右側面板１０ｂに形成したテーパ１６をテーパ受けフレーム１７に嵌めるように開放部１１に被せ、取り外し自在にする。
【００２０】
図３はペット用糞拾い器７０を使用する時の状態を示し、犬５０が糞５１をする時はこの状態にする。これを使用するには、片方の手で持ち運びボックス１０を押さえ、他方の手で吊り下げ持ち手４１を引いて最大四段まで伸ばす。ロール状トイレットペーパー２１は散歩する前など予め背面板１０ｅに設けた引き出し口２４から引き出し、枠３１に架けわたして複数回巻いておく。これに犬５０からの糞５１を直接捕らえた後、軸３３ａ、３３ｂを中心にハンドル３２を時計回りに回転させ、糞５１をロール状トイレットペーパー２１で包み込むようにして巻き取る構成としている。
【００２１】
図６は、犬５０が糞５１をする時に本発明のペット用糞拾い器７０を犬５０のお尻の下に置いた使用状態を示す。伸ばした操作桿４０の吊り下げ持ち手４１を手６０で持ち、犬５０の糞５１を空中で捕らえる準備のためペット用糞拾い器７０を少し傾斜させ、カバー１２を開ける。スペース１３から枠３１に巻かれたロール状トイレットペーパー２１上に直接糞５１を捕らえる。犬５０が糞５１をし終えたらペット用糞拾い器７０を略水平にし、ハンドル３２を軸３３ａ、３３ｂを中心に時計回りに回転させることで継続して出てくるロール状トイレットペーパー２１により糞５１を包み込むようにして巻き取る。糞５１を巻き取ったら吊り下げ持ち手４１を持ちながら操作桿４０を収縮させ、カバー１２を閉じてから携帯し持ち帰る。ロール状トイレットペーパー２１で巻き取った糞５１は、家や公衆便所などでロール状トイレットペーパー２１を所要箇所で切り取り、糞巻き取り具３０を右側面板１０ｂから取り出し、糞巻き取り具３０から糞５１とともに巻かれたロール状トイレットペーパー２１を抜き取り、便器に落としてから水で流す。また、再度ロール状トイレットペーパー２１の端部を枠３１に架け渡し、複数回巻いておくと、次回の散歩に役立つ。
【００２２】
なお、本実施例では右側面板１０ｂに形成したテーパ１６をテーパ受けフレーム１７に取り外し可能に設けたが、テーパ１６に突起を、テーパ受けフレーム１７に溝を設け、これらを嵌着させるように設けることもできる。これにより、右側面板１０ｂをより安定して保持させることが可能となる。
【００２３】
また、右側面板１０ｂの軸孔１８ａ内に軸孔１８ａの中心方向に付勢する数箇所のベアリング（図示しない）を設け、また軸３３ａの数箇所に上記ベアリングが埋まるような溝（図示しない）を設ける。斯様にすると、ハンドル３２を回転させる時、ベアリングが溝に埋まりながら回転するので、ハンドル３２を安定して保ち、且つスムースに回転させることが可能となる。
【００２４】
【発明の効果】
本発明のペット用糞拾い器は、犬等の散歩中の糞処理にコンパクトで携帯しやすく、また雨の日などの散歩は地面にぬかるみがあるが空中で糞を捕らえて処理できるので地面を汚すことがないために、衛生面の観点や不快感の観点からも問題ない。さらに糞をトイレットペーパーで包み、ボックスの中に収納するので飼い主自身も悪臭の影響を受けない等の効果を奏する。また、ペット用糞拾い器は、ハンドバッグを小さくしたようなデザインなので見た目にもお洒落である。
【図面の簡単な説明】
【図１】本発明のペット用糞拾い器の全体を示す概略斜視図である。
【図２】ペット用糞拾い器から右側面板、糞巻き取り具を取り外した状態を示す概略斜視図である。
【図３】ペット用糞拾い器を使用する直前の状態を示す概略斜視図である。
【図４】右側面板に糞巻き取り具を取り付けた状態を示す概略斜視図である。
【図５】（ａ）は本発明のペット用糞拾い器の背面図、（ｂ）はロール状トイレットペーパーを示す。
【図６】本発明のペット用糞拾い器の使用状態の説明図である。
【図７】糞巻き取り具の軸とハンドルの接合部を示す拡大図である。
【図８】操作桿を天板で固定する締結部分を示す拡大図である。
【符号の説明】
１０  持ち運びボックス
１２  カバー
２０  トイレットペーパー保持器
２１  ロール状トイレットペーパー
３０  糞巻き取り具
３２  ハンドル
３３ａ，３３ｂ  軸
４０  操作桿
５１  糞
７０  ペット用糞拾い器
【図１】
0003655183.tif 000002
【図２】
0003655183.tif 000003
【図３】
0003655183.tif 000004
【図４】
0003655183.tif 000005
【図５】
0003655183.tif 000006
【図６】
0003655183.tif 000007
【図７】
0003655183.tif 000008
【図８】
0003655183.tif 000009